(57)【要約】      （修正有）【課題】電極パッドの温度低下を効率的に防止することができ、ゲル材質の固化を防止することのできるＡＥＤ保温ボックスを提供する。【解決手段】ＡＥＤ保温ボックスの本体３及び蓋２０は発泡ウレタン製であり、本体３と蓋２０との間には軟質ゴム製のシール部材が介装されて両部材を密閉可能に構成され、収納部内にはヒーターユニットが配設され収納部内の温度が１０℃以下とならないように、ヒーターユニットが温度制御可能に設けられた。【選択図】図７
0003178350.tif 000002
【実用新案登録請求の範囲】
【請求項１】
ＡＥＤ（自動体外式除細動器）をその内部に収納する収納部を備えるとともに開閉可能な蓋を備えたＡＥＤ保温ボックスであって、前記ＡＥＤ保温ボックスの本体及び前記蓋は発泡ウレタン製であり、前記本体と前記蓋との間には軟質ゴム製のシール部材が介装されて両部材を密閉可能に構成され、前記収納部内にはヒーターユニットが配設され前記収納部内の温度が５℃以下とならないように、前記ヒーターユニットが温度制御可能に設けられたことを特徴とするＡＥＤ保温ボックス。
【請求項２】
前記収納部内の温度が１０℃以下とならないように、前記ヒーターユニットが温度制御可能に設けられたことを特徴とする請求項１に記載のＡＥＤ保温ボックス。
【請求項３】
前記本体及び前記蓋が硬質発泡ウレタン製であることを特徴とする請求項１又は請求項２に記載のＡＥＤ保温ボックス。
【請求項４】
前記本体及び前記蓋の厚みが２０ｍｍ〜３０ｍｍであることを特徴とする請求項１から請求項３のいずれかに記載のＡＥＤ保温ボックス。
【請求項５】
前記ヒーターユニットのヒーター本体がシート状に形成されたことを特徴とする請求項１から請求項４のいずれかに記載のＡＥＤ保温ボックス。
【請求項６】
前記ヒーター本体が、側面視Ｌ字状のシート状に形成されたことを特徴とする請求項５に記載のＡＥＤ保温ボックス。
【考案の詳細な説明】
【技術分野】
【０００１】
この考案は、その内部にＡＥＤ（自動体外式除細動器）を収納するＡＥＤ保温ボックスに関する。
【背景技術】
【０００２】
近年、ＡＥＤ（自動体外式除細動器）が設置される例が増加している。ＡＥＤは、心室細動を起こした患者を救助するための救急救命装置であり、専門的知識がなくても除細動を行うべき症例かどうかを前もって自動的に判断することができ、必要な場合には被用者に対して電気ショックを与えて心臓の正常な動きを再開させるものである。心臓が正常な動きを停止してから蘇生するまでの時間の数分単位の差が蘇生後の回復状況に影響し、また、蘇生率・蘇生後の生存率にも影響するため、多数の人が集まる空港、ホテル、公共施設などの設備や、心肺停止の恐れが高まると考えられる設備、例えばスポーツ施設などを中心として設置数が増加している。そして、このようなＡＥＤは、ＡＥＤそのものを直接保管する場合の他にも、専用の保温ボックス内に収めて、屋外・屋内の目に付き易く非常時にはすぐに取り出せるようにして設置されていることが多い。
【０００３】
一方、ＡＥＤには、電池を備える本体と、ケーブルを介して本体に接続され被用者に対して電気ショックを与えるための電極パッドとが備えられている。そして、この電極パッドは、被用者の胸部の形状に合わせて密着が容易となるようにするために、その内部にゲル材質を全体に渡って備えている（例えば特許文献１）。このようなＡＥＤでは、電極パッドと被用者の肌との間に隙間があると、電気ショックが正確に伝わらなくなる恐れがある。また、被用者の肌に密着させることが困難となり電極パッドの貼り直しなどをして位置を変えてしまうことにより、心電図の波形その他データが変わる可能性があり、より正確な診断と処置の妨げとなる可能性がある。そこで、前述のように被用者の胸部の形状に適切に密着させるようにするためにゲル材質が備えられている。このため、ＡＥＤが正常に作動するように備えておくために、定期的な電池交換の他に、ゲル材質の固化による機能低下などの支障を避けるために、電極パッドの交換期間についても定められており、所定期間経過後には電極パッドの交換が推奨されている。
【先行技術文献】
【特許文献】
【０００４】
【特許文献１】実用新案登録第３１４９３１３号公報
【考案の概要】
【考案が解決しようとする課題】
【０００５】
従来の保温ボックスは、前述のように、非常時に直ぐに取り出せるように屋外・屋内を問わず公衆の目に付き易い場所に設置されることが多い。このため、設置される場所の環境によりＡＥＤの温度も大きく左右される。このため、寒冷地や寒冷時には被用者の胸部に合わせて密着可能となる柔軟性を失うほど電極パッドの温度が低下する恐れもある。しかしながら、従来のＡＥＤ保温ボックスは電極パッドの温度低下を効果的に防止できるような材質、構造となっておらず、ヒーターによる温度低下防止の効率性は良くなかった。また、従来のＡＥＤ保温ボックスでは、単にヒーターを備えて温度制御を行うだけであり、ゲル材質が固化しないような温度制御を具体的に行うことはできなかった。
【０００６】
本考案が解決しようとする目的は、前述の従来技術の問題点を解決するものであり、電極パッドの温度低下を効率的に防止することができ、ゲル材質の固化を防止することのできるＡＥＤ保温ボックスを提供することにある。
【課題を解決するための手段】
【０００７】
上記課題を解決するものは以下のものである。
【０００８】
ＡＥＤ（自動体外式除細動器）をその内部に収納する収納部を備えるとともに開閉可能な蓋を備えたＡＥＤ保温ボックスであって、前記ＡＥＤ保温ボックスの本体及び前記蓋は発泡ウレタン製であり、前記本体と前記蓋との間には軟質ゴム製のシール部材が介装されて両部材を密閉可能に構成され、前記収納部内にはヒーターユニットが配設され前記収納部内の温度が５℃以下とならないように、前記ヒーターユニットが温度制御可能に設けられたことを特徴とするものである。
【０００９】
このように発泡ウレタン製の本体及び蓋とするとともに、シール部材により本体と蓋とを密閉可能に構成する。これにより、収納部内の温度低下を低減することができるので、ヒーターユニットによる温度制御が容易になる。また、ヒーターユニットによる消費電力量を低減することもできる。収納部内の温度を５℃以下とならないように制御することにより、ＡＥＤの電極パッドに用いられているゲル材質を５℃以下とならないようにし、ゲル材質が柔軟性を失わないように構成されている。
【００１０】
また、本考案の第二の手段のＡＥＤ保温ボックスは、第一の手段のＡＥＤ保温ボックスであって、前記収納部内の温度が１０℃以下とならないように、前記ヒーターユニットが温度制御可能に設けられたことを特徴とするものである。
【００１１】
収納部内の温度が１０℃以下とならないように制御することにより、５℃以下でその柔軟性が失われることを懸念される電極パッドのゲル材質について、５℃以下とならないように十分な余裕をとって温度低下によるゲル材質の柔軟性の喪失を防止することができる。
【００１２】
また、本考案の第三の手段のＡＥＤ保温ボックスは、第一の手段又は第二の手段のＡＥＤ保温ボックスであって、前記本体及び前記蓋が硬質発泡ウレタン製であることを特徴とするものである。
【００１３】
本体及び蓋を硬質発泡ウレタン製とすることにより、収納部への断熱効果をもたらすことができるとともに、所定以上の強度を確保することができる。
【００１４】
また、本考案の第四の手段のＡＥＤ保温ボックスは、第一の手段から第三の手段のいずれかのＡＥＤ保温ボックスであって、前記本体及び前記蓋の厚みが２０ｍｍ〜３０ｍｍであることを特徴とするものである。
【００１５】
このような厚みの本体及び蓋とすることにより、内部の保温効果を高めることができる。
【００１６】
また、本考案の第五の手段のＡＥＤ保温ボックスは、第一の手段から第四の手段のいずれかのＡＥＤ保温ボックスであって、前記ヒーターユニットのヒーター本体がシート状に形成されたことを特徴とするものである。
【００１７】
このようにヒーター本体をシート状に形成することにより、収納部内の空間を効率よく用いることができる。
【００１８】
また、本考案の第六の手段のＡＥＤ保温ボックスは、第五の手段のＡＥＤ保温ボックスであって、前記ヒーター本体が、側面視Ｌ字状のシート状に形成されたことを特徴とするものである。
【００１９】
Ｌ字状のシート状にヒーター本体を形成することにより、横方向及び下方からＡＥＤを効率よく保温することができる。
【考案の効果】
【００２０】
本考案のＡＥＤ保温ボックスは前述のように構成されており、ヒーターユニットの温度制御が容易であり収納部内の温度を１０℃以下にさげないように制御されるので、ＡＥＤの電極パッド内のゲル材質が温度低下により固化することを防止することができる。よって、ＡＥＤの使用の際の不具合のおそれを低減することができる。
【図面の簡単な説明】
【００２１】
【図１】図１は、本考案のＡＥＤ保温ボックスの正面図である。
【図２】図２は、蓋を除いた本考案のＡＥＤ保温ボックスの正面図である。
【図３】図３は、蓋を除いた本考案のＡＥＤ保温ボックスの平面図である。
【図４】図４は、蓋を除いた本考案のＡＥＤ保温ボックスの右側面図である。
【図５】図５は、蓋を除いた本考案のＡＥＤ保温ボックスの左側面図である。
【図６】図６は、本考案のＡＥＤ保温ボックスの斜視図である。
【図７】図７は、蓋を開いた状態の本考案のＡＥＤ保温ボックスの斜視図である。
【考案を実施するための形態】
【００２２】
本考案のＡＥＤ保温ボックスについて、図面を参照して詳細に説明する。本考案のＡＥＤ保温ボックス１は、図１から図７に示されるように、外形はほぼ直方体状とされ、内部には、図７に示されるようなＡＥＤ１０を収納する空洞状の収納部２を備えた箱状に形成されているものである。また、その正面側には、本体３に対して開閉可能な蓋２０がヒンジ７により取り付けられている。
【００２３】
本体３及び蓋２０は、発泡ウレタンの一種である硬質発泡ウレタンにより構成されている。本例では、各々、その厚みが約２５ｍｍとされている。このように約２５ｍｍの厚みの発泡ウレタンとすることにより、後述するように、ＡＥＤ保温ボックス１の保温性を確保している。なお、本体３及び蓋２０の厚みは２０ｍｍ〜３０ｍｍの範囲で適宜選択できる。また、本体３及び蓋２０の内側表面には、高反射・遮熱・断熱・放射塗料が塗布されている。よって、後述するように、ＡＥＤ１０を収納する収納部２内の急激な温度低下を防止することができる。なお、本例ではこのような特別の塗料を塗布するものとしたが、寒冷地以外の地域や、完全に屋外とされる場所では無い等の条件によっては、このような塗料を塗布する必要はない。また、本体３及び蓋２０の外側表面には遮熱塗料が塗布されており、炎天下等での表面温度の上昇を抑えるように構成されている。外側表面についても、寒冷地以外の地域や、完全に屋外とされる場所では無い等の条件によっては、遮熱塗料を塗布する必要はない。
【００２４】
図２に示されるように、本体３の底面には、ヒーターユニット５の電源コード８を挿通するための電源コード用孔４が開口されている。電源コード８には、電源コード用孔４の外側に対応する位置にケーブルグランドが取り付けられており、電源コード用孔４をその外側から閉止して、収納部２内を密閉できるように構成されている。なお、この電源コード用孔４内周面にパッキン又は中空ゴムを取り付け、電源コード８周りに密着させて収納部２内を密閉することとしても良い。また、本体３の背面側に、本体３を壁などに取り付けるためのフックなどを設けることとしても良い。また、本体３の正面寄りの部位のうち蓋２０と接触する部位には、蓋２０を開けた際に鳴るブザー（図示省略）が取り付けられており、蓋２０が開いた状態であることを警告できるように構成されている。
【００２５】
本体３の収納部２は以下のように構成されている。前述の通り、収納部２内にはＡＥＤ１０が収納される。収納されたＡＥＤ１０は、使用時又は交換時以外はこの収納部２内に収納されたままの状態となる。収納部２内にはシート状のヒーター本体６が配設されている。図４に示されるように、このヒーター本体６は本体３の左側方からみて「Ｌ字」状で、本体３の正面から見て長方形状に形成されている。このような「Ｌ字」状に形成することによりＡＥＤ１０に対して後方及び下方の双方から温めることができ、また、庫内全体の保温効率も高めることができる。ヒーター本体６は前述の電源コード７と共にヒーターユニット５を構成する。本例では、ヒーター本体６はカーボンナノチューブを織り込んだカーボンシートヒーターを用いており、通電時にヒーター本体６全体が均一に温まるように構成されている。また、一部に孔が開くなど破損した場合であっても温めることができる。また、本例ではヒーター本体６はポリウレタン製のカバーで被覆されている。さらに、ヒーター本体６の正面側の表面上に、パンチング加工された塩化ビニール製又はポリカーボネート製のネットを設けても良い。
【００２６】
ヒーターユニット５は、収納部２内の温度が１０℃以下とならないように制御される。また、ヒーターユニット５は、収納部２内の温度が１５℃以上になると保温を停止するように制御されている。このヒーターユニット５は、シリコンラバーヒーターなどとは異なり、自己制御型ヒーターである。よって、直接温度制御を行う必要は無い。またこのため、故障などでオーバーヒートなどするおそれを低減することができ、長期間保管されるＡＥＤ１０の温度管理をする目的では好適である。
【００２７】
図１に示されるように、蓋２０は、本体３の正面側に設けられており、前述の通り、本体３の正面視右端部に取り付けられたヒンジ７によって、本体３に対して開閉自在に取り付けられている。蓋２０の正面側には、正面視左寄りにレバーハンドル２２が、正面視右寄りに窓２４が設けられている。レバーハンドル２２を操作することにより蓋２０を開けることができる。窓２４はポリカーボネート製の透明の材料で形成されており、ＡＥＤ保温ユニット１の外部から収納部２内を目視可能とするように構成されている。また、収納部２内には、前述したヒーターユニット５が適正に通電状態となっていることを示して発光するＬＥＤが設けられている。このＬＥＤは、透明な窓２４から通電状態を確認することができる。また、この窓２４は二重構造に設けられており、収納部２内の断熱効果をより一層高めるように構成されている。
【００２８】
また、本体３の正面側の端部には、蓋２０との間に介装されるパッキン又は中空ゴムが取り付けられており、このパッキン又は中空ゴムにより、本体３と蓋２０とがシールされ収納部２が密閉可能となるように構成されている。
【００２９】
以上のように構成されたＡＥＤ保温ボックス１においては、前述の材質・厚み及び密閉構造を採用することにより、ＡＥＤ１０の保温を効率良く実現することができる。よって、ＡＥＤ保温ボックス１の断熱効果を高めることができ、ヒーターユニット５の消費電力量を低減することができる。例えば、従来のＡＥＤ保温ボックスでは１００Ｗ（１Ａ）であるところ、本ＡＥＤ保温ボックス１では４０Ｗ（０．４Ａ）で足りる。また、ヒーターユニット５によって収納部２内の温度が１０℃以下とならないように制御されているので、寒冷地等において設置されている場合でも、ＡＥＤ１０内のゲル材質の柔軟性が失われず、使用時には被用者の胸部の形状に適切に合わせて変形させることができる。
【００３０】
また、前述の材質・厚み及び密閉構造を採用することにより、ＡＥＤ保温ボックス１の重量を軽減することもできるので、取付け時の作業時間を短縮することができ、また、取付けの補強のための特別な支持材や取付工具などを必要とすることもない。例えば、従来の鉄製ＡＥＤ保温ボックスでは６０ｋｇであるところ、本ＡＥＤ保温ボックス１では８ｋｇに抑えることができる。
【産業上の利用可能性】
【００３１】
本考案はＡＥＤを収納するＡＥＤ保温ボックスとして広く用いることができる。
【符号の説明】
【００３２】
１；ＡＥＤ保温ボックス、２；収納部、３；本体、４；電源コード用孔、５；ヒーターユニット、６；ヒーター本体、７；ヒンジ、８；電源コード、１０；ＡＥＤ、２０；蓋、２２；レバーハンドル、２４；窓。
【図１】
0003178350.tif 000003
【図２】
0003178350.tif 000004
【図３】
0003178350.tif 000005
【図４】
0003178350.tif 000006
【図５】
0003178350.tif 000007
【図６】
0003178350.tif 000008
【図７】
0003178350.tif 000009